【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
電子的医療記録（ＥＭＲ）システムとドーズオーダーの実行のためのドーズ実行クライアントとの間の自動化されたヘルスケア情報の交換のための方法であって、以下を含む方法：
ヘルスケア情報データストリームをプラットフォームインターフェースモジュールで受け取ること、ここで、前記ヘルスケア情報データストリームは、ドーズオーダーに関連する情報を含む；
前記ドーズオーダーを前記ヘルスケア情報データストリームから特定すること；
前記ヘルスケア情報データストリームからの、前記ドーズオーダーに関するドーズオーダーメタデータを構文解析すること、ここで、前記ドーズオーダーメタデータは、前記ドーズオーダーに関連する１以上のドーズの特徴を含む；
ステージングテーブルに、前記ドーズオーダーのための前記ドーズオーダーメタデータを配置すること、ここで、前記ステージングテーブルは複数のドーズオーダーデータフィールドを含み、該フィールドには、前記ドーズオーダーメタデータの対応するそれぞれの部分が配置される；
前記ドーズオーダーメタデータを、特定のドーズ実行クライアントに対応する既定のフォーマットに変換し、変換されたドーズオーダーメタデータを生成すること；及び
前記特定のドーズ実行クライアントに、前記変換されたドーズオーダーメタデータへのアクセスを提供すること、ここで、前記ドーズ実行クライアントは、変換されたドーズオーダーメタデータを、前記ステージングテーブルから取り出して、前記ドーズオーダーを、前記変換されたドーズオーダーメタデータに基づいて実行するように動作可能である。
【請求項２】
請求項１に記載の方法であって、前記ステージングテーブルが、前記ドーズオーダーメタデータを、標準化された中間フォーマットで保存する、該方法。
【請求項３】
請求項２に記載の方法であって、更に以下を含む、該方法：
第一のドーズオーダーを第一のＥＭＲフォームで受信すること；
第二のドーズオーダーを第二のＥＭＲフォームで受信すること；
ここで、前記第一のドーズオーダー及び前記第二のドーズオーダーは、同一の構成成分を有するドーズオーダーに対応し、及び
ここで、前記第一のＥＭＲフォームでの前記構成成分のフォームは、前記第二のＥＭＲフォームとは異なり、及び
ここで、前記第一のドーズオーダーに関する前記構成成分のフォームは、前記第一のドーズオーダー及び前記第二のドーズオーダーに対応する前記それぞれのステージングテーブルにおいて、前記第二のドーズオーダーに関する前記構成成分の前記フォームと同じである。
【請求項４】
請求項１に記載の方法であって、更に以下を含む、該方法：
少なくとも部分的に前記ドーズオーダーメタデータに基づいて、前記ドーズ実行クライアントを、前記ドーズオーダーの実行のための複数のドーズ実行クライアントから特定すること、
前記複数の各ドーズ実行クライアントは、それぞれ既定の独自の入力フォーマットを有し；
前記変換することは、前記特定されたドーズ実行クライアントの前記それぞれの既定の入力フォーマットに少なくとも部分的に基づく。
【請求項５】
請求項４に記載の方法であって、前記ステージングテーブルは、任意の前記複数のドーズ実行クライアントから独立している、該方法。
【請求項６】
請求項４に記載の方法であって、前記変換することが以下を含む、該方法：
ステージングテーブルの前記複数のドーズオーダーデータフィールドを、複数のドーズ実行クライアント入力フィールドの対応するそれぞれのフィールドにマッピングすること。
【請求項７】
請求項６に記載の方法であって、前記ドーズ実行クライアント入力フィールドが、前記ドーズ実行クライアントに関連する独自の入力フォーマットによって定義される、該方法。
【請求項８】
請求項７に記載の方法であって、前記変換することが以下を含む、該方法：
前記複数のドーズオーダーデータフィールドの前記ドーズオーダーメタデータを、前記ドーズ実行クライアント入力フィールドの対応するフィールドのための前記独自の入力フォーマットに関して、確認すること。
【請求項９】
請求項８に記載の方法であって、前記確認することは以下を含む、該方法：
前記複数のドーズオーダーデータフィールドの前記ドーズオーダーメタデータを、前記ドーズ実行クライアントの処置記録に、前記ドーズ実行クライアント入力フィールドの前記対応するそれぞれのフィールドに関して、関連付けること。
【請求項１０】
請求項９に記載の方法であって、更に以下を含む、該方法：
前記マッピング又は前記確認のうち少なくとも１つに関連するエラーに応答して例外を生成すること。
【請求項１１】
請求項１０に記載の方法であって、前記例外は、ヒトユーザーに対して、前記エラーを解決することを促すことを含む、該方法。
【請求項１２】
請求項１１に記載の方法であって、更に以下を含む、該方法：
前記ヒトユーザーから、前記エラーの解決に関連する入力を受け取ること、
ここで前記入力は、以下のうち少なくとも１つを含む：
前記ステージングテーブルのドーズオーダーデータフィールドと、ドーズ実行クライアント入力フィールドの対応するそれぞれのフィールドとの間の正しいマッピング、又はドーズオーダーメタデータの一部と前記ドーズ実行クライアントの処置記録との間の正しい相関関係。
【請求項１３】
請求項１２に記載の方法であって、更に以下を含む、該方法：
それぞれ、前記ヒトユーザーから受け取った前記入力に基づいて、マッピングロジック又は相関関係ロジックのうち少なくとも１つを、前記マッピング及び前記関連づけにおいて使用するためにアップデートすること。
【請求項１４】
請求項１に記載の方法であって、更に以下を含む、該方法：
前記ステージングテーブルをアップデートして、前記ドーズオーダーのための前記ドーズオーダーメタデータが前記ドーズ実行クライアントによって取り出されたことを示すこと。
【請求項１５】
請求項１に記載の方法であって、更に以下を含む、該方法：
前記第二のフォームでのドーズオーダーメタデータを前記ドーズ実行クライアントに提供する前に、前記ドーズオーダー記録を管理すること。
【請求項１６】
請求項１５に記載の方法であって、前記管理することが以下を含む、該方法：
ユーザー・インターフェースを提供して、ユーザーが前記ドーズオーダーに対する管理機能を実行することを可能にすること。
【請求項１７】
請求項１６に記載の方法であって、前記管理機能が以下のうち少なくとも１つを含む、該方法：
ドーズオーダーメタデータの変更、前記ドーズオーダーのキャンセル、他のドーズオーダーに対する前記ドーズオーダーの組織化、又は他のドーズオーダーに対する前記ドーズオーダーの優先化。
【請求項１８】
請求項１に記載の方法であって、更に以下を含む、該方法：
ロジスティック処理を前記ドーズオーダーに対して実行すること。
【請求項１９】
請求項１８に記載の方法であって、前記ロジスティック処理は、ＥＭＲシステムメッセージの受信に応答して、前記ドーズオーダーの受信後、前記ドーズオーダーに対する動作を実行することを含む、該方法。
【請求項２０】
請求項１９に記載の方法であって、前記ＥＭＲシステムメッセージが以下のうち少なくとも１つを含む、該方法：
ドーズオーダー変更メッセージ又はドーズオーダー中止メッセージ。
【請求項２１】
請求項２０に記載の方法であって、前記ロジスティック処理が、以下を判定することを含み：前記ドーズオーダーメタデータが前記ドーズ実行クライアントに提供されたかどうか；及び
前記ロジスティック処理が、少なくとも部分的に前記決定に基づく、該方法。
【請求項２２】
請求項２１に記載の方法であって、前記ロジスティック処理は、前記ドーズオーダー記録に対する動作を実行することを含み、前記ドーズオーダー記録は、前記ＥＭＲシステムメッセージに対応し、前記メッセージは、まだ前記ドーズ実行クライアントに提供されていないドーズオーダー記録に関するものである、該方法。
【請求項２３】
請求項２２に記載の方法であって、前記ロジスティック処理は、データを、前記ＥＭＲシステムメッセージに関連する前記ドーズ実行クライアントに提供することを含み、前記メッセージは、前記ドーズ実行クライアントに提供されたドーズオーダー記録に関するものである、該方法。
【請求項２４】
請求項２３に記載の方法であって、前記ＥＭＲシステムメッセージに関連する前記ドーズ実行クライアントに提供された前記データは、前記ドーズ実行クライアントに対応するフォームに変換される、該方法。
【請求項２５】
請求項１に記載の方法であって、前記ドーズ実行クライアントが以下のうち少なくとも１つを含む、該方法：
前記ドーズオーダーの手動調合のための薬局ワークフロー管理アプリケーション、自動化されたドーズ調合装置、自動化されたトータル非経口（腸管外）栄養（ＴＰＮ）コンパウンダー、又はドーズ分配キャビネット。
【請求項２６】
請求項１に記載の方法であって、更に以下を含む、該方法：
前記ドーズオーダーに対してとられる動作に対するログ操作を行い、前記ドーズオーダーに対する動作に関するログを生成すること。
【請求項２７】
請求項２６に記載の方法であって、前記ログ操作は、以下を含む、該方法：
前記ドーズオーダーに対してとられるそれぞれの異なる動作に対して生成された複数のログを集合化させること。
【請求項２８】
請求項１に記載の方法であって、前記ヘルスケア情報データストリームは、電子的医療記録（ＥＭＲ）システムから受信される、該方法。
【請求項２９】
請求項２８に記載の方法であって、前記ＥＭＲシステムが病院の情報システム（ＨＩＳ）を含む、該方法。
【請求項３０】
請求項２９に記載の方法であって、前記ヘルスケア情報データストリームが、ヘルスレベル７（ＨＬ７）フォーマットを含む、該方法。
【手続補正２】
【補正対象書類名】明細書
【補正対象項目名】００９３
【補正方法】変更
【補正の内容】
【００９３】
図面及び上記説明において、本発明を図示及び説明してきたがこうした図示及び説明は、例示的なものとして考慮すべきものであり、そして、その特徴を限定するものではない。例えば、上述したある特定の実施形態は、他の説明した実施形態に適合させることができるし、及び／又は、他の方法でアレンジすることもできる。（例えば、あるプロセスの要素を他の順番で実行してもよい）。従って、以下の点を理解されたい：即ち、好ましい実施形態及びこれらのバリエーションを図示及び説明しているに過ぎないということ、そして、本発明の思想の範囲内に入る全ての改変及び変更が保護されることが望まれるということ。
一側面において、本発明は以下の発明を包含する。
（発明１）
変換モジュールによるヘルスケア情報の自動化された変換のための方法であって、該変換は、電子的医療記録（ＥＭＲ）システムからの第一のフォームとドーズ実行クライアントに関連する第二のフォームとの間の変換であり、前記ドーズ実行クライアントは、前記ヘルス情報データのドーズオーダーに従ってドーズの調合を行うためのものであり、
以下を含む方法：
変換モジュールにて、ドーズオーダーに関するドーズオーダーメタデータを、前記ドーズオーダーに対応するステージングテーブルから取り出すこと（ここで、前記ステージングテーブルには、ドーズオーダーメタデータが配置されており、前記メタデータは、ＥＭＲシステムから第一のフォームでヘルスケア情報データストリームから受け取られ、及び前記ステージングテーブルは複数のドーズオーダーデータフィールドを含み、該フィールドには、前記ドーズオーダーメタデータの対応するそれぞれの部分が配置される）；
前記ドーズオーダーメタデータを、ドーズ実行クライアントに対応する既定の第二のフォームに変換すること；及び
前記第二のフォームでのドーズオーダーメタデータを、前記ドーズ実行クライアントに対して提供すること、前記提供は、前記ドーズオーダーに関連するドーズを、前記ドーズオーダーメタデータに基づいて実行するためのものである。
（発明２）
発明１に記載の方法であって、更に以下を含む、該方法：
前記ヘルスケア情報データストリームを、プラットフォームインターフェースモジュールにて、前記ＥＭＲシステムから受信すること、ここで、前記ヘルスケア情報データストリームは、前記ドーズオーダーに関連する情報を含む；
前記ドーズオーダーを前記ヘルスケア情報データストリームから特定すること；
前記ドーズオーダーのための前記ドーズオーダーメタデータを、前記ヘルスケア情報データストリームから構文解析すること、ここで、前記ドーズオーダーメタデータは、前記ドーズオーダーに関連する１以上のドーズの特徴を含む；及び
前記プラットフォームインターフェースモジュールにて、前記ステージングテーブルに前記ドーズオーダーのための前記ドーズオーダーメタデータを配置すること、ここで、前記ステージングテーブルはステージングテーブルデータベースに保存される。
（発明３）
発明２に記載の方法であって、前記ステージングテーブルが前記ドーズオーダーメタデータを、標準化された中間フォーマットで保存する、該方法。
（発明４）
発明３に記載の方法であって、更に以下を含む、該方法：
第一のドーズオーダーを第一のＥＭＲフォームで受信すること；
第二のドーズオーダーを第二のＥＭＲフォームで受信すること；
ここで、前記第一のドーズオーダー及び前記第二のドーズオーダーは、同一の構成成分を有するドーズオーダーに対応し、及びここで、前記第一のＥＭＲフォームでの前記構成成分のフォームは、前記第二のＥＭＲフォームとは異なり、及び前記第一のドーズオーダーに関する前記構成成分の前記フォームは、前記第二のドーズオーダーに関する前記構成成分の前記フォームと、前記第一のドーズオーダー及び前記第二のドーズオーダーに対応する前記それぞれのステージングテーブルにおいて、同一である。
（発明５）
発明１に記載の方法であって、更に以下を含む、該方法：
少なくとも部分的に前記ドーズオーダーメタデータに基づいて、前記ドーズ実行クライアントを、前記ドーズオーダーの実行のための複数のドーズ実行クライアントから特定すること、
ここで、前記複数のドーズ実行クライアントは、それぞれ既定の第二のフォームを有しており；
前記変換することは、前記特定されたドーズ実行クライアントの前記それぞれ既定の第二のフォームに、少なくとも部分的に基づく。
（発明６）
発明５に記載の方法であって、前記ステージングテーブルは、任意の前記複数のドーズ実行クライアントから独立している、該方法。
（発明７）
発明５に記載の方法であって、前記変換することが以下を含む、該方法：
ステージングテーブルの前記複数のドーズオーダーデータフィールドを、複数のドーズ実行クライアント入力フィールドの対応するそれぞれのフィールドにマッピングすること。
（発明８）
発明７に記載の方法であって、前記ドーズ実行クライアント入力フィールドが、前記ドーズ実行クライアントに関連する独自の入力フォーマットによって定義される、該方法。
（発明９）
発明８に記載の方法であって、前記変換することが以下を含む、該方法：
前記複数のドーズオーダーデータフィールドの前記ドーズオーダーメタデータを、前記ドーズ実行クライアント入力フィールドの対応するフィールドのための前記独自の入力フォーマットに関して、確認すること。
（発明１０）
発明９に記載の方法であって、前記確認することは以下を含む、該方法：
前記複数のドーズオーダーデータフィールドの前記ドーズオーダーメタデータを、前記ドーズ実行クライアントの処置記録に、前記ドーズ実行クライアント入力フィールドの前記対応するそれぞれのフィールドに関して、関連付けること。
（発明１１）
発明９に記載の方法であって、更に以下を含む、該方法：
前記マッピング又は前記確認のうち少なくとも１つに関連するエラーに応答して例外を生成すること。
（発明１２）
発明１１に記載の方法であって、前記例外は、ヒトユーザーに対して、前記エラーを解決することを促すことを含む、該方法。
（発明１３）
発明１２に記載の方法であって、更に以下を含む、該方法：
前記ヒトユーザーから、前記エラーの解決に関連する入力を受け取ること、ここで前記入力は、以下のうち少なくとも１つを含む：
前記ステージングテーブルのドーズオーダーデータフィールドと、ドーズ実行クライアント入力フィールドの対応するそれぞれのフィールドとの間の正しいマッピング、又はドーズオーダーメタデータの一部と前記ドーズ実行クライアントの処置記録との間の正しい相関関係。
（発明１４）
発明１３に記載の方法であって、更に以下を含む：
それぞれ、前記ヒトユーザーから受け取った前記入力に基づいて、マッピングロジック又は相関関係ロジックのうち少なくとも１つを、前記マッピング及び前記関連づけにおいて使用するためにアップデートすること。
（発明１５）
発明１に記載の方法であって、更に以下を含む：
前記ステージングテーブルをアップデートして、前記ドーズオーダーのための前記ドーズオーダーメタデータが前記ドーズ実行クライアントによって取り出されたことを示すこと。
（発明１６）
発明１に記載の方法であって、更に以下を含む：
前記第二のフォームでのドーズオーダーメタデータを前記ドーズ実行クライアントに提供する前に、前記ドーズオーダー記録を管理すること。
（発明１７）
発明１６に記載の方法であって、前記管理することが以下を含む、該方法：
ユーザー・インターフェースを提供して、ユーザーが前記ドーズオーダーに対する管理機能を実行することを可能にすること。
（発明１８）
発明１７に記載の方法であって、前記管理機能が以下のうち少なくとも１つを含む、該方法：
ドーズオーダーメタデータの変更、前記ドーズオーダーのキャンセル、他のドーズオーダーに対する前記ドーズオーダーの組織化、又は他のドーズオーダーに対する前記ドーズオーダーの優先化。
（発明１９）
発明１に記載の方法であって、更に以下を含む、該方法：
ロジスティック処理を前記ドーズオーダーに対して実行すること。
（発明２０）
発明１９に記載の方法であって、前記ロジスティック処理が、ＥＭＲシステムメッセージの受信に応答して、前記ドーズオーダーの受信後、前記ドーズオーダーに対する動作を実行することを含む、該方法。
（発明２１）
発明２０に記載の方法であって、前記ＥＭＲシステムメッセージが以下のうち少なくとも１つを含む、該方法：
ドーズオーダー変更メッセージ又はドーズオーダー中止メッセージ。
（発明２２）
発明２１に記載の方法であって、前記ロジスティック処理が、以下を決定することを含み：前記ドーズオーダーメタデータが前記ドーズ実行クライアントに提供されたかどうか；及び
前記ロジスティック処理が、少なくとも部分的に前記決定に基づく、該方法。
（発明２３）
発明２２に記載の方法であって、前記ロジスティック処理は、前記ドーズオーダー記録に対する動作を実行することを含み、前記ドーズオーダー記録は、前記ＥＭＲシステムメッセージに対応し、前記メッセージは、まだ前記ドーズ実行クライアントに提供されていないドーズオーダー記録に関するものである、該方法。
（発明２４）
発明２３に記載の方法であって、前記ロジスティック処理は、データを、前記ＥＭＲシステムメッセージに関連する前記ドーズ実行クライアントに提供することを含み、前記メッセージは、前記ドーズ実行クライアントに提供されたドーズオーダー記録に関するものである、該方法。
（発明２５）
発明２５に記載の方法であって、前記ＥＭＲシステムメッセージに関連する前記ドーズ実行クライアントに提供された前記データは、前記ドーズ実行クライアントに対応するフォームに変換される、該方法。
（発明２６）
発明１に記載の方法であって、前記ドーズ実行クライアントが以下のうち少なくとも１つを含む：前記ドーズオーダーの手動調合のための薬局ワークフロー管理アプリケーション、自動化されたドーズ調合装置、自動化されたトータル非経口（腸管外）栄養（ＴＰＮ）コンパウンダー、又はドーズ分配キャビネット。
（発明２７）
発明１に記載の方法であって、前記ＥＭＲシステムが病院の情報システム（ＨＩＳ）を含む、該方法。
（発明２８）
発明２７に記載の方法であって、前記ヘルスケア情報データストリームが、ヘルスレベル７（ＨＬ７）フォーマットを含む、該方法。
（発明２９）
発明１に記載の方法であって、更に以下を含む、該方法：
前記ドーズオーダーに対してとられる動作に対するログ操作を行い、前記ドーズオーダーに対する動作に関するログを生成すること。
（発明３０）
発明２９に記載の方法であって、前記ログ操作が以下を含む、該方法：
前記ドーズオーダーに対してとられるそれぞれの異なる動作に対して生成された複数のログを集合化させること。
（発明３１）
電子的医療記録（ＥＭＲ）システムとドーズオーダーの実行のためのドーズ実行クライアントとの間の自動化されたヘルスケア情報の交換のための方法であって、以下を含む方法：
ヘルスケア情報データストリームをプラットフォームインターフェースモジュールで受け取ること、ここで、前記ヘルスケア情報データストリームは、ドーズオーダーに関連する情報を含む；
前記ドーズオーダーを前記ヘルスケア情報データストリームから特定すること；
前記ヘルスケア情報データストリームからの、前記ドーズオーダーに関するドーズオーダーメタデータを構文解析すること、ここで、前記ドーズオーダーメタデータは、前記ドーズオーダーに関連する１以上のドーズの特徴を含む；
ステージングテーブルに、前記ドーズオーダーのための前記ドーズオーダーメタデータを配置すること、ここで、前記ステージングテーブルは複数のドーズオーダーデータフィールドを含み、該フィールドには、前記ドーズオーダーメタデータの対応するそれぞれの部分が配置される；
前記ドーズオーダーメタデータを、特定のドーズ実行クライアントに対応する既定のフォーマットに変換し、変換されたドーズオーダーメタデータを生成すること；及び
前記特定のドーズ実行クライアントに、前記変換されたドーズオーダーメタデータへのアクセスを提供すること、ここで、前記ドーズ実行クライアントは、変換されたドーズオーダーメタデータを、前記ステージングテーブルから取り出して、前記ドーズオーダーを、前記変換されたドーズオーダーメタデータに基づいて実行するように動作可能である。
（発明３２）
発明３１に記載の方法であって、前記ステージングテーブルが、前記ドーズオーダーメタデータを、標準化された中間フォーマットで保存する、該方法。
（発明３３）
発明３２に記載の方法であって、更に以下を含む、該方法：
第一のドーズオーダーを第一のＥＭＲフォームで受信すること；
第二のドーズオーダーを第二のＥＭＲフォームで受信すること；
ここで、前記第一のドーズオーダー及び前記第二のドーズオーダーは、同一の構成成分を有するドーズオーダーに対応し、及び
ここで、前記第一のＥＭＲフォームでの前記構成成分のフォームは、前記第二のＥＭＲフォームとは異なり、及び
ここで、前記第一のドーズオーダーに関する前記構成成分のフォームは、前記第一のドーズオーダー及び前記第二のドーズオーダーに対応する前記それぞれのステージングテーブルにおいて、前記第二のドーズオーダーに関する前記構成成分の前記フォームと同じである。
（発明３４）
発明３１に記載の方法であって、更に以下を含む、該方法：
少なくとも部分的に前記ドーズオーダーメタデータに基づいて、前記ドーズ実行クライアントを、前記ドーズオーダーの実行のための複数のドーズ実行クライアントから特定すること、
前記複数の各ドーズ実行クライアントは、それぞれ既定の独自の入力フォーマットを有し；
前記変換することは、前記特定されたドーズ実行クライアントの前記それぞれの既定の入力フォーマットに少なくとも部分的に基づく。
（発明３５）
発明３４に記載の方法であって、前記ステージングテーブルは、任意の前記複数のドーズ実行クライアントから独立している、該方法。
（発明３６）
発明３４に記載の方法であって、前記変換することが以下を含む、該方法：
ステージングテーブルの前記複数のドーズオーダーデータフィールドを、複数のドーズ実行クライアント入力フィールドの対応するそれぞれのフィールドにマッピングすること。
（発明３７）
発明３６に記載の方法であって、前記ドーズ実行クライアント入力フィールドが、前記ドーズ実行クライアントに関連する独自の入力フォーマットによって定義される、該方法。
（発明３８）
発明３７に記載の方法であって、前記変換することが以下を含む、該方法：
前記複数のドーズオーダーデータフィールドの前記ドーズオーダーメタデータを、前記ドーズ実行クライアント入力フィールドの対応するフィールドのための前記独自の入力フォーマットに関して、確認すること。
（発明３９）
発明３８に記載の方法であって、前記確認することは以下を含む、該方法：
前記複数のドーズオーダーデータフィールドの前記ドーズオーダーメタデータを、前記ドーズ実行クライアントの処置記録に、前記ドーズ実行クライアント入力フィールドの前記対応するそれぞれのフィールドに関して、関連付けること。
（発明４０）
発明３９に記載の方法であって、更に以下を含む、該方法：
前記マッピング又は前記確認のうち少なくとも１つに関連するエラーに応答して例外を生成すること。
（発明４１）
発明４０に記載の方法であって、前記例外は、ヒトユーザーに対して、前記エラーを解決することを促すことを含む、該方法。
（発明４２）
発明４１に記載の方法であって、更に以下を含む、該方法：
前記ヒトユーザーから、前記エラーの解決に関連する入力を受け取ること、
ここで前記入力は、以下のうち少なくとも１つを含む：
前記ステージングテーブルのドーズオーダーデータフィールドと、ドーズ実行クライアント入力フィールドの対応するそれぞれのフィールドとの間の正しいマッピング、又はドーズオーダーメタデータの一部と前記ドーズ実行クライアントの処置記録との間の正しい相関関係。
（発明４３）
発明４２に記載の方法であって、更に以下を含む、該方法：
それぞれ、前記ヒトユーザーから受け取った前記入力に基づいて、マッピングロジック又は相関関係ロジックのうち少なくとも１つを、前記マッピング及び前記関連づけにおいて使用するためにアップデートすること。
（発明４４）
発明３１に記載の方法であって、更に以下を含む、該方法：
前記ステージングテーブルをアップデートして、前記ドーズオーダーのための前記ドーズオーダーメタデータが前記ドーズ実行クライアントによって取り出されたことを示すこと。
（発明４５）
発明３１に記載の方法であって、更に以下を含む、該方法：
前記第二のフォームでのドーズオーダーメタデータを前記ドーズ実行クライアントに提供する前に、前記ドーズオーダー記録を管理すること。
（発明４６）
発明４５に記載の方法であって、前記管理することが以下を含む、該方法：
ユーザー・インターフェースを提供して、ユーザーが前記ドーズオーダーに対する管理機能を実行することを可能にすること。
（発明４７）
発明４６に記載の方法であって、前記管理機能が以下のうち少なくとも１つを含む、該方法：
ドーズオーダーメタデータの変更、前記ドーズオーダーのキャンセル、他のドーズオーダーに対する前記ドーズオーダーの組織化、又は他のドーズオーダーに対する前記ドーズオーダーの優先化。
（発明４８）
発明３１に記載の方法であって、更に以下を含む、該方法：
ロジスティック処理を前記ドーズオーダーに対して実行すること。
（発明４９）
発明４８に記載の方法であって、前記ロジスティック処理は、ＥＭＲシステムメッセージの受信に応答して、前記ドーズオーダーの受信後、前記ドーズオーダーに対する動作を実行することを含む、該方法。
（発明５０）
発明４９に記載の方法であって、前記ＥＭＲシステムメッセージが以下のうち少なくとも１つを含む、該方法：
ドーズオーダー変更メッセージ又はドーズオーダー中止メッセージ。
（発明５１）
発明５０に記載の方法であって、前記ロジスティック処理が、以下を判定することを含み：前記ドーズオーダーメタデータが前記ドーズ実行クライアントに提供されたかどうか；及び
前記ロジスティック処理が、少なくとも部分的に前記決定に基づく、該方法。
（発明５２）
発明５１に記載の方法であって、前記ロジスティック処理は、前記ドーズオーダー記録に対する動作を実行することを含み、前記ドーズオーダー記録は、前記ＥＭＲシステムメッセージに対応し、前記メッセージは、まだ前記ドーズ実行クライアントに提供されていないドーズオーダー記録に関するものである、該方法。
（発明５３）
発明５２に記載の方法であって、前記ロジスティック処理は、データを、前記ＥＭＲシステムメッセージに関連する前記ドーズ実行クライアントに提供することを含み、前記メッセージは、前記ドーズ実行クライアントに提供されたドーズオーダー記録に関するものである、該方法。
（発明５４）
発明５３に記載の方法であって、前記ＥＭＲシステムメッセージに関連する前記ドーズ実行クライアントに提供された前記データは、前記ドーズ実行クライアントに対応するフォームに変換される、該方法。
（発明５５）
発明３１に記載の方法であって、前記ドーズ実行クライアントが以下のうち少なくとも１つを含む、該方法：
前記ドーズオーダーの手動調合のための薬局ワークフロー管理アプリケーション、自動化されたドーズ調合装置、自動化されたトータル非経口（腸管外）栄養（ＴＰＮ）コンパウンダー、又はドーズ分配キャビネット。
（発明５６）
発明３１に記載の方法であって、更に以下を含む、該方法：
前記ドーズオーダーに対してとられる動作に対するログ操作を行い、前記ドーズオーダーに対する動作に関するログを生成すること。
（発明５７）
発明５６に記載の方法であって、前記ログ操作は、以下を含む、該方法：
前記ドーズオーダーに対してとられるそれぞれの異なる動作に対して生成された複数のログを集合化させること。
（発明５８）
発明３１に記載の方法であって、前記ヘルスケア情報データストリームは、電子的医療記録（ＥＭＲ）システムから受信される、該方法。
（発明５９）
発明５８に記載の方法であって、前記ＥＭＲシステムが病院の情報システム（ＨＩＳ）を含む、該方法。
（発明６０）
発明５９に記載の方法であって、前記ヘルスケア情報データストリームが、ヘルスレベル７（ＨＬ７）フォーマットを含む、該方法。
（発明６１）
電子的医療記録（ＥＭＲ）システムとドーズオーダーの実行のためのドーズ実行クライアントとの間のヘルスケア情報の交換のためのヘルスケア情報交換システムであって、以下を含む、該システム：
ストリーム処理モジュールであって、ＥＭＲシステムと動作可能に通信し、ヘルスケア情報データストリームを前記ＥＭＲシステムから受信する、該モジュール；
ステージングテーブルデータベースであって、前記ストリーム処理モジュールと動作可能に通信し、前記データベースはステージングテーブルを記憶するためのものであり、前記テーブルにはドーズオーダーメタデータが配置され、前記メタデータは前記ヘルスケア情報データストリームに含まれる、該モジュール、ここで、前記ステージングテーブルは複数のドーズオーダーデータフィールドを含み、該フィールドには、前記ドーズオーダーメタデータの対応するそれぞれの部分が配置される；及び
変換モジュールであって、前記ステージングテーブルデータベースとドーズ実行クライアントとの間に機能的に配置される、該変換モジュール、ここで、前記変換モジュールは、ドーズオーダーの実行の際に使用するための前記ドーズ実行クライアントを特定するよう動作可能であり、及び前記ドーズオーダーメタデータを前記ドーズ実行クライアントに対応する既定のフォーマットに変換するように動作可能である；
ここで、前記既定のフォーマットは、前記ドーズ実行クライアントに関連するドーズオーダーデータフィールド及び対応するドーズオーダーメタデータフォーマットを定義する。